(57)【要約】【課題】  携帯端末を利用して楽曲ＩＤをカラオケ装置に送信するカラオケ音楽情報提供システムにおいて、人手が不要になると共に、カラオケ装置の全機種に対応可能な選曲方法を提供する。【解決手段】  携帯電話１がカラオケ装置２に対して装置識別の問い合わせを行うと、カラオケ装置２は、当該カラオケ装置２の製造会社、機種番号及び使用する周波数一覧を携帯電話１に送信する。携帯端末は、ユーザが指定した楽曲名に対する楽曲ＩＤを当該周波数一覧で指定されている周波数を使用して当該カラオケ装置２に送信すると共に、前記カラオケ装置２の製造会社及び機種番号と使用する周波数一覧との対応関係を記憶する。【選択図】  図６
2005292554.tif 000002
【特許請求の範囲】
【請求項１】
携帯端末を利用して楽曲ＩＤをカラオケ装置に送信するカラオケ音楽情報提供システムにおいて、
携帯端末がカラオケ装置に対して装置識別の問い合わせを行うと、カラオケ装置は、当該カラオケ装置の製造会社、機種番号及び当該カラオケ装置が使用する周波数一覧を携帯端末に送信し、
携帯端末は、ユーザが指定した楽曲名に対する楽曲ＩＤを、前記周波数一覧で指定されている周波数を使用して前記カラオケ装置に送信するカラオケ音楽情報提供システムにおける選曲方法。
【請求項２】
携帯端末を利用して楽曲ＩＤをカラオケ装置に送信するカラオケ音楽情報提供システムにおいて、
携帯端末がカラオケ装置に対して装置識別の問い合わせを行うと、カラオケ装置は、当該カラオケ装置の製造会社及び機種番号を携帯端末に送信し、
携帯端末が前記製造会社の音楽情報管理サーバに前記機種番号のカラオケ装置が使用する周波数一覧の問い合わせを行うと、音楽情報管理サーバは、前記周波数一覧を携帯端末に送信し、
携帯端末は、ユーザが指定した楽曲名に対する楽曲ＩＤを、前記周波数一覧で指定されている周波数を使用して前記カラオケ装置に送信するカラオケ音楽情報提供システムにおける選曲方法。
【請求項３】
請求項１または２に記載のカラオケ音楽情報提供システムにおいて、
携帯端末は、前記カラオケ装置の製造会社及び機種番号と当該カラオケ装置が使用する周波数一覧との対応関係を記憶するカラオケ音楽情報提供システムにおける選曲方法。
【請求項４】
請求項１から３までのいずれか一項に記載のカラオケ音楽情報提供システムにおいて、
携帯端末は、前記製造会社から取得した楽曲ＩＤをカラオケ装置の製造会社及び機種番号に対応させて記憶し、
ユーザが携帯端末に楽曲名を入力した場合には、携帯端末は、前記楽曲名が自端末に記憶されているか否かを確認し、
前記楽曲名が記憶されていることを確認したときは、記憶されている楽曲ＩＤをカラオケ装置に送信し、
前記楽曲名が記憶されていないことを確認したときは、前記製造会社の音楽情報管理サーバに楽曲ＩＤの問い合わせを行い、当該音楽情報管理サーバから取得する楽曲ＩＤを記憶すると共に、当該楽曲ＩＤをカラオケ装置に送信するカラオケ音楽情報提供システムにおける選曲方法。
【請求項５】
請求項４に記載のカラオケ音楽情報提供システムにおいて、
現に演奏されている楽曲の楽曲ＩＤの記憶をユーザが携帯端末に要求すると、携帯端末は、前記楽曲ＩＤをカラオケ装置に要求し、カラオケ装置は、前記楽曲ＩＤを携帯端末に送信し、
携帯端末は、前記楽曲ＩＤを前記製造会社の音楽情報管理サーバに通知し、音楽情報管理サーバは、前記楽曲ＩＤに対応する楽曲名を端末装置に送信し、
端末装置は、前記楽曲名に対応する楽曲ＩＤを記憶するカラオケ音楽情報提供システムにおける選曲方法。
【請求項６】
請求項４または５に記載のカラオケ音楽情報提供システムにおいて、
携帯端末は、楽曲名に対応させてカラオケ装置への要求回数を記憶し、ユーザが要求すると、携帯端末は、画面上に楽曲名及び要求回数を表示するカラオケ音楽情報提供システムにおける選曲方法。
【請求項７】
請求項４から６までのいずれか一項に記載のカラオケ音楽情報提供システムにおいて、
携帯端末は、楽曲名に対応させてカラオケ装置への要求の履歴を記憶し、ユーザが要求すると、携帯端末は、画面上に当該履歴を表示するカラオケ音楽情報提供システムにおける選曲方法。
【請求項８】
請求項６または７に記載のカラオケ音楽情報提供システムにおいて、
ユーザが要求すると、携帯端末は、現に利用しているカラオケ装置に存在する楽曲名に関してのみ画面上に表示するカラオケ音楽情報提供システムにおける選曲方法。
【発明の詳細な説明】
【技術分野】
【０００１】
本発明は、カラオケ音楽情報提供システム、特に、携帯端末を利用して楽曲ＩＤをカラオケ装置に送信するカラオケ音楽情報提供システムに関するものである。
【背景技術】
【０００２】
従来のカラオケ音楽情報提供システムでは、カラオケ装置に付属するリモコンのみが選曲情報等の指定に際して利用できる。これは、製造会社または機種番号によって、使用する周波数が異なるからである。また、ユーザが選曲した楽曲の履歴がリモコンに記憶されるカラオケ装置もある（非特許文献１を参照。）。
【０００３】
【非特許文献１】第一興商ホームページ、[online]、［平成１６年３月２５日検索］、インターネット＜ＵＲＬ：http://www.dkkaraoke.co.jp/＞
【発明の開示】
【発明が解決しようとする課題】
【０００４】
以上のように、カラオケ装置に付属するリモコンは個数が限定されているので、ユーザが多い場合には待ち時間が長くなり利便性が良くない。また、リモコンに記憶される楽曲の履歴は全てのユーザについての楽曲の履歴であり、個人のユーザにとっては不要な楽曲が多く活用の価値が少ない。更に、リモコンはカラオケ装置に付属している物であり、自由に持ち歩いて他社または他機種番号のカラオケ装置に利用できるわけではないので、一度だけの活用にとどまる。
【課題を解決するための手段】
【０００５】
上記の課題を解決するため、本発明は、各個人が携帯している携帯端末をカラオケ装置のリモコンとして利用できるようにすることを特徴とする。具体的には、携帯端末がカラオケ装置に対して装置種別の問い合わせを行って、または当該カラオケ装置の製造会社の音楽情報管理サーバから装置種別に関わる情報を取得して、装置種別に応じた赤外線周波数を使用して選曲に関わる情報を送受する。また、装置種別を記憶し、更に、選曲時に楽曲名、及び楽曲名に基づいて音楽情報管理サーバから取得した楽曲ＩＤを記憶し、そして、これらの情報及びユーザが指定した楽曲に関わる情報を記憶し、加えて、これらの情報を集計する機能を設ける。
【０００６】
ここで、携帯端末とは、通信機能を有する携帯用のコンピュータや携帯電話等をいう。また、楽曲ＩＤとは、楽曲毎に付与されているユニークな番号であり、当該番号をカラオケ装置に入力することにより当該楽曲が提供されるものをいい、製造会社毎に異なるものである。更に、携帯端末とカラオケ装置との間で問い合わせが行われるカラオケ装置会社及び当該会社が使用する制御信号対応に使用する周波数一覧は、各カラオケ装置会社で共通とする。
【発明の効果】
【０００７】
以上説明したように、本発明によれば、携帯端末を利用して楽曲ＩＤをカラオケ装置に送信するカラオケ音楽情報提供システムにおいて、携帯端末が自動的にカラオケ装置の装置種別を識別して当該機種に対応する周波数を使用するので、人手が不要になると共に、カラオケ装置の全機種に対応可能となる。また、ユビキタス環境下で楽曲の演奏回数や履歴情報の活用を図ることができ、ユーザインタフェースの向上が可能となる。
【発明を実施するための最良の形態】
【０００８】
以下、本発明の実施形態例を図面により詳細に説明する。
本発明を実現するためのシステム構成例を図１に示す。カラオケ音楽情報提供システムは、携帯電話１、カラオケ装置２及び音楽情報管理サーバ３−Ａ，３−Ｂ，３−Ｍから構成される。本発明の実施例を実現するための携帯電話１、カラオケ装置２及び音楽情報管理サーバ３の構成例をそれぞれ図２、図３及び図４に示す。
【実施例１】
【０００９】
第１の実施例として、携帯端末がカラオケ装置に対して装置識別の問い合わせを行うと、カラオケ装置は、当該カラオケ装置の製造会社、機種番号及び当該カラオケ装置が使用する周波数一覧を携帯端末に送信し、携帯端末は、ユーザが指定した楽曲名に対する楽曲ＩＤを当該周波数一覧で指定されている周波数を使用して当該カラオケ装置に送信すると共に、前記カラオケ装置の製造会社及び機種番号と当該カラオケ装置が使用する周波数一覧との対応関係を記憶する場合の実施例について示す。
【００１０】
ユーザが、携帯電話１の画面上に表示されるメニューの「カラオケ設定」を選択する。ここで、携帯電話１の画面の例を図５に示す。携帯電話１では、通信管理部１１は、カラオケ装置２に対する製造会社、機種番号及び使用する周波数の問い合わせを赤外線送信部１７に指示する。赤外線送信部１７は当該信号をカラオケ装置２に送信する。
【００１１】
カラオケ装置２では、赤外線受信部２５は、当該信号を受信すると、当該信号を処理管理部２１に通知する。処理管理部２１は、赤外線周波数記憶部２３から当該カラオケ装置２の製造会社、機種番号及び使用する周波数一覧を読み出して、当該カラオケ装置２の製造会社、機種番号及び使用する周波数一覧を赤外線送信部２２を経由して携帯電話１に送信する。
【００１２】
携帯電話１では、赤外線受信部１２は、当該カラオケ装置２の製造会社、機種番号及び使用する周波数一覧を受信すると、当該信号を通信管理部１１に通知する。通信管理部１１は、当該カラオケ装置２の製造会社、機種番号及び使用する周波数一覧を赤外線周波数記憶部１８に通知する。赤外線周波数記憶部１８は、当該カラオケ装置２の製造会社、機種番号及び使用する周波数一覧を記憶する。
【００１３】
ユーザが携帯電話１に楽曲名を入力する。携帯電話１では、入力部１３は当該楽曲名を通信管理部１１に通知する。通信管理部１１は、前記製造会社から当該製造会社の音楽情報管理サーバ３を抽出し、当該音楽情報管理サーバ３に対して当該楽曲名を回線制御部１５を経由して送信する。
【００１４】
音楽情報管理サーバ３では、回線制御部３３は当該楽曲名を通信管理部３１に通知する。通信管理部３１は、当該楽曲名を楽曲情報管理部３４に通知する。楽曲情報管理部３４は、当該楽曲名に対応する楽曲識別子（以下、楽曲ＩＤ）を抽出し、当該楽曲ＩＤを通信管理部３１に通知する。通信管理部３１は、当該楽曲ＩＤを携帯電話１に対して回線制御部３３を経由して送信する。
【００１５】
携帯電話１では、回線制御部１５は当該楽曲ＩＤを通信管理部１１に通知する。通信管理部１１は、当該楽曲ＩＤを赤外線送信部１７を経由してカラオケ装置２に送信する。携帯電話１における装置種別問い合わせ、及び選曲処理に関するフローチャートの例を図６に示す。
【実施例２】
【００１６】
第２の実施例として、携帯端末がカラオケ装置に対して装置識別の問い合わせを行うと、カラオケ装置は、当該カラオケ装置の製造会社及び機種番号を携帯端末に送信し、携帯端末は、当該製造会社の音楽情報管理サーバに当該機種番号のカラオケ装置が使用する周波数一覧を問い合わせると、音楽情報管理サーバは、当該周波数一覧を携帯端末に送信し、携帯端末は、ユーザが指定した楽曲名に対する楽曲ＩＤを当該周波数一覧で指定されている周波数を使用して当該カラオケ装置に送信すると共に、前記カラオケ装置の製造会社及び機種番号と当該カラオケ装置が使用する周波数一覧との対応関係を記憶する場合の実施例について示す。
【００１７】
第１の実施例において、携帯電話１がカラオケ装置２に対して製造会社、機種番号及び使用する周波数の問い合わせを行う代わりに、携帯電話１がカラオケ装置２に対して製造会社及び機種番号の問い合わせを赤外線送信部１７に指示する。赤外線送信部１７は、当該信号をカラオケ装置２に送信する。
【００１８】
カラオケ装置２では、赤外線受信部２５が当該信号を受信すると、当該信号を処理管理部２１に通知する。処理管理部２１は、赤外線周波数記憶部２３から当該カラオケ装置２の製造会社及び機種番号を読み出して、当該製造会社及び機種番号を赤外線送信部２２を経由して携帯電話１に送信する。
【００１９】
携帯電話１では、赤外線受信部１２が当該カラオケ装置２の製造会社及び機種番号を受信すると、当該信号を通信管理部１１に通知する。通信管理部１１は、当該カラオケ装置２の製造会社から当該製造会社の音楽情報管理サーバ３を抽出し、当該音楽情報管理サーバ３に対して当該機種番号を回線制御部１５を経由して送信する。
【００２０】
音楽情報管理サーバ３では、回線制御部３３は当該機種番号を通信管理部３１に通知する。通信管理部３１は、当該機種番号を赤外線周波数記憶部３２に通知する。赤外線周波数記憶部３２は、当該機種番号で使用する周波数一覧を抽出し、当該周波数一覧を通信管理部３１に通知する。通信管理部３１は、当該周波数一覧を携帯電話１に対して回線制御部３３を経由して送信する。
【００２１】
携帯電話１では、回線制御部１５は当該周波数一覧を通信管理部１１に通知する。通信管理部１１は、当該周波数一覧、前記カラオケ装置２の製造会社及び機種番号を赤外線周波数記憶部１８に通知する。赤外線周波数記憶部１８は、当該カラオケ装置２の製造会社、機種番号及び周波数一覧を記憶する。以降の処理は、第１の実施例と同様である。
【実施例３】
【００２２】
第３の実施例として、第１及び第２の実施例において、携帯端末は、製造会社から取得した楽曲ＩＤをカラオケ装置の製造会社及び機種番号に対応させて記憶し、ユーザが携帯端末に楽曲名を入力した場合には、携帯端末は、当該楽曲名が自端末に記憶されているか否かを確認し、記憶されているときは記憶されている楽曲ＩＤをカラオケ装置に送信し、記憶されていないときは当該製造会社の音楽情報管理サーバに楽曲ＩＤを問い合わせ、当該音楽情報管理サーバから取得する楽曲ＩＤを記憶すると共に、当該楽曲ＩＤをカラオケ装置に送信する場合の実施例について示す。
【００２３】
第１及び第２の実施例において、携帯電話１では、音楽情報管理サーバ３から楽曲ＩＤを取得すると、通信管理部１１は当該カラオケ装置２の製造会社、機種番号、楽曲名及び楽曲ＩＤを楽曲情報管理部１６に通知する。楽曲情報管理部１６は、カラオケ装置２の製造会社及び機種番号に対応させて楽曲ＩＤを楽曲情報に記憶する。ここで、楽曲情報の構成を図７に示す。
【００２４】
ユーザが携帯電話１に楽曲名を入力する。携帯電話１では、入力部１３は当該楽曲名を通信管理部１１に通知する。通信管理部１１は、当該楽曲名を楽曲情報管理部１６に通知する。楽曲情報管理部１６は、楽曲情報を参照し当該楽曲名が記憶されているか否かを確認する。楽曲情報管理部１６は、当該楽曲名が記憶されていることを確認したときは、記憶されている楽曲ＩＤを通信管理部１１に通知する。通信管理部１１は、当該楽曲ＩＤをカラオケ装置２に対して赤外線送信部１７を経由して送信する。一方、楽曲情報管理部１６は、当該楽曲名が記憶されていないことを確認したときは、“記憶されていない”ことを通信管理部１１に通知する。通信管理部１１は、当該楽曲名を前記音楽情報管理サーバ３に対して回線制御部１５を経由して送信する。
【００２５】
音楽情報管理サーバ３では、回線制御部３３は当該楽曲名を通信管理部３１に通知する。通信管理部３１は、当該楽曲名を楽曲情報管理部３４に通知する。楽曲情報管理部３４は、当該楽曲名に対応する楽曲ＩＤを抽出し、当該楽曲ＩＤを通信管理部３１に通知する。通信管理部３１は、当該楽曲ＩＤを携帯電話１に対して回線制御部３３を経由して送信する。
【００２６】
携帯電話１では、回線制御部１５は当該楽曲ＩＤを通信管理部１１に通知する。通信管理部１１は、当該楽曲ＩＤをカラオケ装置２に対して赤外線送信部１７を経由して送信すると共に、楽曲情報管理部１６に楽曲名及び楽曲ＩＤを通知する。楽曲情報管理部１６は、カラオケ装置２の製造会社及び機種番号に対応させて楽曲ＩＤを楽曲情報に記憶する。以降の処理は、第１及び第２の実施例と同様である。
【実施例４】
【００２７】
第４の実施例として、第３の実施例において、現にカラオケ装置により演奏されている楽曲の楽曲ＩＤの記憶をユーザが携帯端末に要求すると、携帯端末は当該楽曲ＩＤをカラオケ装置に要求し、カラオケ装置は当該楽曲ＩＤを携帯端末に送信し、携帯端末は当該楽曲ＩＤを当該製造会社の音楽情報管理サーバに通知し、音楽情報管理サーバは当該楽曲ＩＤに対応する楽曲名を携帯端末に送信し、携帯端末は楽曲名に対応する楽曲ＩＤを記憶する場合の実施例について示す。
【００２８】
第３の実施例において、現に演奏されている楽曲の楽曲ＩＤの記憶をユーザが帯電話１に要求する。携帯電話１では、入力部１３は当該要求を通信管理部１１に通知する。通信管理部１１は、現に演奏されている楽曲の楽曲ＩＤを赤外線送信部１７を経由してカラオケ装置２に要求する。
【００２９】
カラオケ装置２では、赤外線受信部２５は当該要求を受信すると、当該要求を処理管理部２１に通知する。処理管理部２１は、現に演奏されている楽曲の楽曲ＩＤを抽出し、当該楽曲ＩＤを赤外線送信部２２を経由して携帯電話１に送信する。
【００３０】
携帯電話１では、赤外線受信部１２は当該楽曲ＩＤを通信管理部１１に通知する。通信管理部１１は、当該楽曲ＩＤを前記音楽情報管理サーバ３に対して回線制御部１５を経由して送信する。
【００３１】
音楽情報管理サーバ３では、回線制御部３３は当該楽曲ＩＤを通信管理部３１に通知する。通信管理部３１は当該楽曲ＩＤを楽曲情報管理部３４に通知する。楽曲情報管理部３４は、当該楽曲ＩＤに対応する楽曲名を抽出し、通信管理部３１に当該楽曲名を通知する。通信管理部３１は、当該楽曲名を回線制御部３３を経由して携帯電話１に送信する。
【００３２】
携帯電話１では、回線制御部１５は当該楽曲名を通信管理部１１に通知する。通信管理部１１は、当該楽曲名及び前記楽曲ＩＤを楽曲情報管理部１６に通知する。楽曲情報管理部１６は、当該楽曲名を製造会社、機種番号及び楽曲ＩＤに対応する楽曲名として記憶する。以降の処理は、第３の実施例と同様である。
【実施例５】
【００３３】
第５の実施例として、第３及び第４の実施例において、携帯端末はカラオケ装置への要求回数を楽曲名に対応させて記憶し、ユーザが要求すると、携帯端末は画面上に楽曲名及び要求回数を表示する場合の実施例について示す。
【００３４】
第３及び第４の実施例において、ユーザが楽曲名を携帯電話１に入力する。携帯電話１では、回線制御部１５は当該楽曲名を通信管理部１１に通知する。通信管理部１１は、当該楽曲名を楽曲情報管理部１６に通知する。楽曲情報管理部１６は、楽曲要求情報を参照して当該楽曲名の要求回数を１加算する。ここで、楽曲要求情報の構成例を図８に示す。
【００３５】
ユーザが、携帯電話１の画面上の「要求回数」を指定する。携帯電話１では、入力部１３は当該指定を通信管理部１１に通知する。通信管理部１１は楽曲情報管理部１６に楽曲要求情報を要求する。楽曲情報管理部１６は当該楽曲要求情報を通信管理部１１に通知する。通信管理部１１は当該楽曲要求情報を出力部１４に表示する。以降の処理は、第３及び第４の実施例と同様である。
【実施例６】
【００３６】
第６の実施例として、第３〜第５の実施例において、携帯端末はカラオケ装置への要求の履歴を楽曲名に対応させて記憶し、ユーザが要求すると、携帯端末は画面上に当該履歴を表示する場合の実施例について示す。
【００３７】
第３〜第５の実施例において、ユーザが楽曲名を携帯電話１に入力する。携帯電話１では、入力部１３は当該楽曲名を通信管理部１１に通知する。通信管理部１１は当該楽曲名を楽曲情報管理部１６に通知する。楽曲情報管理部１６は、履歴情報の最旧ポインタで指定された位置に当該楽曲名を記憶する。ここで、履歴情報の構成例を図９に示す。
【００３８】
ユーザが携帯電話１の画面上の「履歴」を指定する。携帯電話１では、回線制御部１５は当該指定を通信管理部１１に通知する。通信管理部１１は履歴情報を楽曲情報管理部１６に要求する。楽曲情報管理部１６は履歴情報を通信管理部１１に通知する。通信管理部１１は当該履歴情報を出力部１４に表示する。以降の処理は、第３〜第５の実施例と同様である。
【実施例７】
【００３９】
第７の実施例として、第５及び第６の実施例において、ユーザが要求すると、携帯端末は現に利用しているカラオケ装置に存在する楽曲名に関してのみ画面上に表示する場合の実施例について示す。
【００４０】
第５及び第６の実施例において、楽曲情報管理部１６は、ログ情報または履歴情報を参照し、現に利用しているカラオケ装置２の製造会社及び機種番号に関するログ情報または履歴情報のみを抽出し、当該ログ情報または履歴情報のみを通信管理部１１に通知する。通信管理部１１は、当該ログ情報または履歴情報のみを出力部に表示する。
【図面の簡単な説明】
【００４１】
【図１】本発明を実現するためのシステムの構成例を示す図である。
【図２】本発明を実現するための携帯電話の構成例を示す図である。
【図３】本発明を実現するためのカラオケ装置の構成例を示す図である。
【図４】本発明を実現するための音楽情報管理サーバの構成例を示す図である。
【図５】携帯電話における画面の例を示す図である。
【図６】携帯電話における装置種別問い合わせ、及び選曲処理に関するフローチャートの例を示す図である。
【図７】携帯電話における楽曲情報の構成例を示す図である。
【図８】携帯電話における楽曲要求情報の構成例を示す図である。
【図９】携帯電話における履歴情報の構成例を示す図である。
【符号の説明】
【００４２】
１  携帯電話
２  カラオケ装置
３，３−Ａ，３−Ｂ，３−Ｍ  音楽情報管理サーバ
４  ネットワーク
１１，３１  通信管理部
１２，２５  赤外線受信部
１３  入力部
１４  出力部
１５，３３  回線制御部
１６，３４  楽曲情報管理部
１７，２２  赤外線送信部
１８，２３，３２  赤外線周波数記憶部
１９，３５  ＯＳ
２１  処理管理部
２４  画像ＤＢ部
２６  音楽ＤＢ部
【図１】
2005292554.tif 000003
【図２】
2005292554.tif 000004
【図３】
2005292554.tif 000005
【図４】
2005292554.tif 000006
【図５】
2005292554.tif 000007
【図６】
2005292554.tif 000008
【図７】
2005292554.tif 000009
【図８】
2005292554.tif 000010
【図９】
2005292554.tif 000011